(57)【要約】【課題】商品に付されたＲＦタグの読み過ぎおよび読み漏れを防ぐことを可能とする。【解決手段】ＲＦタグが付された商品の登録を行う商品登録装置であって、ＲＦＩＤタグリーダにより、商品の識別情報を読み取る識別情報読取部と、商品の商品重量を計量する商品計量部と、商品の識別情報と、商品の商品重量と、を対応づけて記憶した商品重量記憶部と、商品重量記憶部を参照して、識別情報読取部により読み取られた商品の識別情報に対応する商品重量を取得する商品重量取得部と、商品重量取得部により取得された商品重量の合計と、商品計量部により計量された商品重量の合計と、を比較する商品重量比較部と、商品重量比較部による、商品重量取得部により取得された商品重量の合計と、商品計量部により計量された商品重量の合計と、の比較結果に応じて、ＲＦＩＤタグリーダの読取出力を制御する出力制御部と、を備える。【選択図】図３
2019207599.tif 000002
【特許請求の範囲】
【請求項１】
ＲＦタグが付された商品の登録を行う商品登録装置であって、
ＲＦＩＤタグリーダにより、商品の識別情報を読み取る識別情報読取部と、
前記商品の商品重量を計量する商品計量部と、
前記商品の識別情報と、前記商品の商品重量と、を対応づけて記憶した商品重量記憶部と、
前記商品重量記憶部を参照して、前記識別情報読取部により読み取られた前記商品の識別情報に対応する前記商品重量を取得する商品重量取得部と、
前記商品重量取得部により取得された前記商品重量の合計と、前記商品計量部により計量された前記商品重量の合計と、を比較する商品重量比較部と、
前記商品重量比較部による、前記商品重量取得部により取得された前記商品重量の合計と、前記商品計量部により計量された前記商品重量の合計と、の比較結果に応じて、前記ＲＦＩＤタグリーダの読取出力を制御する出力制御部と、
を備えることを特徴とする商品登録装置。
【請求項２】
前記商品重量比較部による比較結果が、前記商品重量取得部により取得された前記商品重量の合計より前記商品計量部により計量された前記商品重量の合計が小さい場合には、前記出力制御部は、前記ＲＦＩＤタグリーダの読取出力を大きくする
ことを特徴とする請求項１に記載の商品登録装置。
【請求項３】
前記商品重量比較部による比較結果が、前記商品重量取得部により取得された前記商品重量の合計より前記商品計量部により計量された前記商品重量の合計が大きい場合には、前記出力制御部は、前記ＲＦＩＤタグリーダの読取出力を小さくする
ことを特徴とする請求項１に記載の商品登録装置。
【請求項４】
商品の識別情報と、前記商品の商品重量と、を対応づけて記憶した商品重量記憶部と、前記商品に付されたＲＦタグを読み取るＲＦＩＤタグリーダと、を備える商品登録装置において実行される読取出力制御方法であって、
前記ＲＦＩＤタグリーダにより、前記商品の識別情報を読み取り、
前記商品の商品重量を計量し、
前記商品重量記憶部を参照して、前記読み取られた前記商品の識別情報に対応する前記商品重量を取得し、
前記取得された前記商品重量の合計と、前記計量された前記商品重量の合計と、を比較し、
前記比較結果に応じて、前記ＲＦＩＤタグリーダの読取出力を制御する
ことを特徴とする読取出力制御方法。
【請求項５】
商品の識別情報と、前記商品の商品重量と、を対応づけて記憶した商品重量記憶部と、商品に付されたＲＦタグを読み取るＲＦＩＤタグリーダと、を備える商品登録装置のコンピュータに、
前記ＲＦＩＤタグリーダにより、前記商品の識別情報を読み取り、
前記商品の商品重量を計量し、
前記商品重量記憶部を参照して、前記読み取られた前記商品の識別情報に対応する前記商品重量を取得し、
前記取得された前記商品重量の合計と、前記計量された前記商品重量の合計と、を比較し、
前記比較結果に応じて、前記ＲＦＩＤタグリーダの読取出力を制御する
処理を実行させることを特徴とする読取出力制御プログラム。
【発明の詳細な説明】
【技術分野】
【０００１】
本発明は、商品登録装置、読取出力制御方法および読取出力制御プログラムに関する。
【背景技術】
【０００２】
スーパーマーケット、コンビニエンスストア等の小売店等では、ＰＯＳ（Point Of Sale）端末が広く普及している。近年、ＰＯＳ端末は、ＲＦＩＤ（radio frequency identifier）タグリーダライタ（以下、「ＲＦＩＤスキャナ」と称する）を備え、商品に付されたＲＦタグに含まれるバーコードをスキャンし、商品コード（識別情報）を取得する。ＰＯＳ端末において、ＲＦＩＤスキャナにより商品の登録を行う技術の一例が開示されている（例えば、特許文献1参照）。
【先行技術文献】
【特許文献】
【０００３】
【特許文献１】特開２００９−１８７４０７号公報
【発明の概要】
【発明が解決しようとする課題】
【０００４】
しかしながら、例えば商品の形状が大きく、商品に付されたＲＦタグとＲＦＩＤスキャナとの距離が遠くなる場合や、ＲＦタグのアンテナが小さい場合には、ＲＦタグへのＲＦＩＤスキャナの送信出力が十分でなく、また、ＲＦタグとＲＦＩＤスキャナの相互のアンテナの位置関係や、ＲＦタグの取付け対象物の素材によっても、ＲＦタグの読み漏れが生じる虞がある。
【０００５】
一方で、ＲＦＩＤスキャナの送信出力が大き過ぎる場合には、読み取るべき商品のＲＦタグだけでなく、ＰＯＳ端末（レジ）付近にある他の商品や、ＰＯＳ端末に並んでいる他の顧客の商品のＲＦタグまで読み取ってしまい、ＲＦタグの読み過ぎが生じる虞がある。
【０００６】
したがって、特にホームセンタや百貨店のように、多種多様の商品を扱っている店舗等において、ＲＦタグの読み漏れや読み過ぎが発生する可能性が高いため、適宜読み漏れや読み過ぎを防ぐ手段が求められていた。
【０００７】
本発明は、上記課題に鑑み、商品に付されたＲＦタグの読み過ぎおよび読み漏れを防ぐことを可能とする商品登録装置を提供することを目的とする。
【課題を解決するための手段】
【０００８】
本発明の一態様によれば、本発明の商品登録装置は、ＲＦタグが付された商品の登録を行う商品登録装置であって、ＲＦＩＤタグリーダにより、商品の識別情報を読み取る識別情報読取部と、前記商品の商品重量を計量する商品計量部と、前記商品の識別情報と、前記商品の商品重量と、を対応づけて記憶した商品重量記憶部と、前記商品重量記憶部を参照して、前記識別情報読取部により読み取られた前記商品の識別情報に対応する前記商品重量を取得する商品重量取得部と、前記商品重量取得部により取得された前記商品重量の合計と、前記商品計量部により計量された前記商品重量の合計と、を比較する商品重量比較部と、前記商品重量比較部による、前記商品重量取得部により取得された前記商品重量の合計と、前記商品計量部により計量された前記商品重量の合計と、の比較結果に応じて、前記ＲＦＩＤタグリーダの読取出力を制御する出力制御部と、を備えることを特徴とする。
【０００９】
また、本発明の読取出力制御方法は、商品の識別情報と、前記商品の商品重量と、を対応づけて記憶した商品重量記憶部と、前記商品に付されたＲＦタグを読み取るＲＦＩＤタグリーダと、を備える商品登録装置において実行される読取出力制御方法であって、前記ＲＦＩＤタグリーダにより、前記商品の識別情報を読み取り、前記商品の商品重量を計量し、前記商品重量記憶部を参照して、前記読み取られた前記商品の識別情報に対応する前記商品重量を取得し、前記取得された前記商品重量の合計と、前記計量された前記商品重量の合計と、を比較し、前記比較結果に応じて、前記ＲＦＩＤタグリーダの読取出力を制御することを特徴とする。
【００１０】
また、本発明の読取出力制御プログラムは、商品の識別情報と、前記商品の商品重量と、を対応づけて記憶した商品重量記憶部と、商品に付されたＲＦタグを読み取るＲＦＩＤタグリーダと、を備える商品登録装置のコンピュータに、前記ＲＦＩＤタグリーダにより、前記商品の識別情報を読み取り、前記商品の商品重量を計量し、前記商品重量記憶部を参照して、前記読み取られた前記商品の識別情報に対応する前記商品重量を取得し、前記取得された前記商品重量の合計と、前記計量された前記商品重量の合計と、を比較し、前記比較結果に応じて、前記ＲＦＩＤタグリーダの読取出力を制御する処理を実行させることを特徴とする。
【発明の効果】
【００１１】
一態様によれば、商品に付されたＲＦタグの読み過ぎおよび読み漏れを防ぐことを可能とする商品登録装置を提供できる。
【図面の簡単な説明】
【００１２】
【図１】本実施形態のセルフチェックアウト装置１０の外観構成の一例を示す図である。
【図２】本実施形態に係るセルフチェックアウト装置のハードウェア構成の一例を示す図である。
【図３】本実施形態に係るセルフチェックアウト装置１０の機能構成の一例を示す図である。
【図４】ＲＡＭ１０２に記憶されている商品テーブル５０１の一例を示す図である。
【図５】ＲＡＭ１０２に記憶されている読取データ保存領域５０２の一例を示す図である。
【図６】ＲＡＭ１０２に記憶されている精算対象データテーブル５０５の一例を示す図である。
【図７Ａ】本実施形態の自動精算処理の例を示すフローチャートを示す図である。
【図７Ｂ】本実施形態の自動精算処理の例を示すフローチャートを示す図である。
【発明を実施するための形態】
【００１３】
以下、図面を参照しながら、本発明の実施の形態を説明する。
本発明に係る商品登録装置は、顧客自身が、購入する商品の登録を行うことができるセルフチェックアウト装置である。以下、商品登録装置の例として、セルフチェックアウト装置１０を例にして説明していくが、これに限られない。例えば、店員がＲＦＩＤスキャナを用いて購入する商品の登録を行うことができる通常のＰＯＳ端末にも適用することができる。
【００１４】
図１は、本実施形態のセルフチェックアウト装置１０の外観構成の一例を示す図である。図１に示すように、セルフチェックアウト装置１０は、筐体１１と筐体１２を備える。
【００１５】
筐体１１および筐体１２は、セルフチェックアウト装置１０を統括的に制御する不図示の制御装置や、外部との通信を行う不図示の通信装置や、不図示の電源装置等を収容する。
【００１６】
また、セルフチェックアウト装置１０は、筐体１１の上方に、ＬＣＤ（Liquid Crystal Display）１３、タッチパネル１４、カードＲ／Ｗ（Reader/Writer）１５、カメラスキャナ１６ａ、不図示のハンディスキャナ１６ｂ、ＲＦＩＤスキャナ１７、レシートプリンタ１８および金銭取扱装置収容部１９を備え、筐体１１の右側方に計量装置２０を備え、筐体１２の上方に買物袋懸吊部２１を備える。
【００１７】
ＬＣＤ１３は、各種の情報や注意喚起メッセージを表示する。例えば、ＬＣＤ１３は、カメラスキャナ１６ａにより読み取ったバーコードや、ＲＦＩＤスキャナ１７により読み取ったＲＦタグの識別情報に基づく商品名、商品単価、商品重量等の商品精算に伴う情報、精算時の預かり金額、買い物合計の金額、および釣銭額等の情報を表示する。なお、バーコードやＲＦタグの識別情報は、商品に付されている識別情報の一例である。
【００１８】
タッチパネル１４は、ＬＣＤ１３の表示に従った顧客のタッチ操作による操作情報の入力を受け付ける。例えば、ＬＣＤ１３には取引開始ボタン、精算ボタンを含む各種ボタンを表示し、取引開始ボタンへのタッチ操作を受け付けると、後述の自動精算処理が開始される。同様に、精算ボタンへのタッチ操作を受け付けると、精算処理が行われ、後述の自動精算処理が終了となる。
【００１９】
カードＲ／Ｗ１５は、磁気カード（例えば、クレジットカード）の磁気ストライプに記録された情報を読み取る。
【００２０】
カメラスキャナ１６ａは、下方読取方式のスキャナであって、セルフチェックアウト装置１０に固定されている。カメラスキャナ１６ａは、ＲＦＩＤスキャナ１７上の商品を所定のフレームレートで撮像し、得られた画像内に、商品に付されているバーコードの存在が認識された場合に、そのバーコードを読み取る。
【００２１】
図示しないハンディスキャナ１６ｂは、カメラスキャナ１６ａで読み取ることができないバーコードを読み取ることができるように、セルフチェックアウト装置１０に有線または無線で接続され、移動可能である。ハンディスキャナ１６ｂは、商品に付されているバーコードにレーザ走査線を照射し、そのバーコードを読み取る。以下、カメラスキャナ１６ａとハンディスキャナ１６ｂとを特に区別する必要がない場合は「バーコードスキャナ１６」と称する。
【００２２】
ＲＦＩＤスキャナ１７は、商品に付されたＲＦタグから無線通信によってＲＦタグ内のバーコードデータを含むタグＩＤ情報を読み取る装置である。ＲＦＩＤスキャナ１７は、ＲＦタグに情報を記録可能なＲＦＩＤタグリーダライタ装置であってもよい。ＲＦタグはタグＩＤ情報を記憶するＲＦＩＤタグ（ＩＣタグともいう）であり、バーコードデータを含むタグＩＤ情報が記憶されている。タグＩＤ情報はＲＦタグに記録された情報である。ＲＦＩＤスキャナ１７は据え置きタイプであってもいし、ハンディタイプであってもよい。
【００２３】
レシートプリンタ１８は、購入した商品の名称（商品名）、商品単価、預かり金額、釣銭金額等の情報が記載されたレシートを印刷する。
【００２４】
金銭取扱装置収容部１９は、不図示の釣札機（紙幣取扱装置）と不図示の釣銭機（硬貨取扱装置）を収容する。また、金銭取扱装置収容部１９は、紙幣投入口１９ａ、紙幣出金口１９ｂ、硬貨投入口１９ｃ、硬貨返却口１９ｄ、および硬貨出金口１９ｅを備える。紙幣投入口１９ａは、釣札機に入金する紙幣の投入口である。紙幣出金口１９ｂは、釣札機から出金する紙幣の取り出し口である。硬貨投入口１９ｃは、釣銭機に入金する硬貨の投入口である。硬貨返却口１９ｄは、釣銭機から返却される硬貨の取り出し口である。硬貨出金口１９ｅは、釣銭機から出金する硬貨の取り出し口である。
【００２５】
計量装置２０は、当該計量装置２０に載置された買物カゴに入れられている商品の総重量を計量する。なお、買物カゴの重量は既知であるから、計量装置２０は、商品が入れられている買物カゴの総重量を計量し、その計量値から、買物カゴの重量を減算することにより、買物カゴに入れられている商品の重量の合計を計量することができる。更に、計量装置２０は、バーコードを読み取り後の計量値から、次回バーコードを読み取り後の計量値を減算することで、スキャナにより読み取った商品の重量（以下、「商品重量」と称する）を計量することができる。計量装置２０は、後述の商品計量部４０３の制御に基づき商品の商品重量を計量する。
【００２６】
買物袋懸吊部２１は、商品登録後の商品が入れられる買物袋を吊り下げるためのものである。なお、買物袋は、レジ袋等であってもよい。
【００２７】
図２は、本実施形態に係るセルフチェックアウト装置のハードウェア構成の一例を示す図である。図２に示すように、セルフチェックアウト装置１０は、制御部１０１やＲＡＭ（Random Access Memory）１０２等を含む制御装置１００を備え、制御装置１００は、ＬＣＤ１３やタッチパネル１４等を含む各種装置と接続されている。制御装置１００は各種装置を統括的に制御する。制御部１０１は、ＣＰＵ（Central  Processing  Unit）などであり、セルフチェックアウト装置１０の全体の動作を制御する。具体的には、制御部１０１は、ＲＡＭ１０２やＨＤＤ１０３に記憶されたプログラムを順次実行することで、各種処理を行う。なお、制御部１０１は、コンピュータの一例である。
【００２８】
制御部１０１には、バス１０７を介して、ＲＡＭ１０２、ＨＤＤ（Hard Disk Drive）１０３、通信インタフェース１０４、グラフィック処理装置１０５、入出力インタフェース１０６が接続されている。制御部１０１は、バス１０７を介して、ＨＤＤ１０３からＲＡＭ１０２上にプログラムを読み出し、実行する。これにより、後述の操作案内表示動作やバーコード読取動作等を含む、セルフチェックアウト装置１０の各種動作が行われる。
【００２９】
ＲＡＭ１０２には、制御部１０１により実行される、ＯＳ（Operating System）やアプリケーション等のプログラムの一部が一時的に格納される他、制御部１０１の処理に必要な各種データが格納される。また、ＲＡＭ１０２には、後述の商品情報領域や清算金額記憶領域が格納される。
【００３０】
ＨＤＤ１０３には、プログラム、各種データ、後述の商品テーブル等が格納されている。
【００３１】
通信インタフェース１０４は、例えばＬＡＮ（Local Area Network）等のネットワークを介して、外部装置と通信を行う。後述する商品テーブル等は、不図示のプログラム提供者端末装置から不図示のネットワークおよび通信インタフェース１０４を介して接続される外部サーバ２００に格納してもよい。
【００３２】
グラフィック処理装置１０５には、ＬＣＤ１３が接続されている。グラフィック処理装置１０５は、制御部１０１の制御の下に、ＬＣＤ１３に表示させる画像データを生成し、当該画像データを画像信号に変換して、ＬＣＤ１３へ出力する。
【００３３】
入出力インタフェース１０６には、タッチパネル１４、カードＲ／Ｗ１５、カメラスキャナ１６ａ、ハンディスキャナ１６ｂ、ＲＦＩＤスキャナ１７、レシートプリンタ１８、計量装置２０および入出金装置２２が接続されている。
【００３４】
入出金装置２２は、上述した釣札機および釣銭機を含む。
また、入出力インタフェース１０６には、不図示の媒体読取装置も接続されており、当該媒体読取装置にセットされた可搬型記憶媒体に対して、データの書込みまたは読み出しが可能である。なお、制御部１０１により実行されるプログラムは、その可搬型記憶媒体に記憶されていてもよい。この場合、制御部１０１は、媒体読取装置にセットされた可搬型記憶媒体からＲＡＭ１０２上にプログラムを読み出して実行するようにしてもよい。可搬型記憶媒体は、例えば、ＣＤ−ＲＯＭ（Compact Disc Read Only Memory）、フレキシブルディスク、光ディスク、光磁気ディスク、ＤＶＤ（Digital Versatile Disc）ディスク、ＵＳＢ（Universal Serial Bus）メモリなど様々な形式の記憶媒体のいずれでもよい。
【００３５】
次に、本実施形態に係るセルフチェックアウト装置１０の機能構成について説明する。図３は、本実施形態に係るセルフチェックアウト装置１０の機能構成の一例を示す図である。
【００３６】
セルフチェックアウト装置１０の制御部１０１は、主制御部４０１と、識別情報読取部４０２と、商品計量部４０３と、商品重量取得部４０４と、商品重量比較部４０５と、出力制御部４０６を少なくとも有する。セルフチェックアウト装置１０のＲＡＭ１０２は、商品テーブル５０１と、読取データ保存領域５０２と、実重量保存領域５０３と、論理重量保存領域５０４と、精算対象データテーブル５０５を少なくとも有する。
【００３７】
主制御部４０１は、制御部１０１が自動精算処理プログラムを実行することにより、セルフチェックアウト装置１０全体を制御する。
【００３８】
識別情報読取部４０２は、出力制御部４０６により制御された出力に基づきＲＦＩＤスキャナ１７を制御して商品の識別情報を読み取る。具体的には、識別情報読取部４０２は、商品に付されたＲＦタグから無線通信によってＲＦタグ内のバーコードデータを含むタグＩＤ情報を読み取る。なお、識別情報読取部４０２は、公知の二度読み防止処理（一度読んだＲＦタグを読み捨てるフィルタリング処理）が採用されているため、同一のＲＦタグを重複して読み取ることはない。識別情報読取部４０２は、読み取ったバーコードデータを含むタグＩＤ情報を読取データ保存領域５０２に記憶する。
【００３９】
商品計量部４０３は、商品の商品重量を計量する。具体的には、商品計量部４０３は、計量装置２０を制御して識別情報読取部４０２によりバーコードデータを含むタグＩＤ情報が読み取られた商品の商品重量を計量する。商品計量部４０３は、計量した商品重量の合計を実重量保存領域５０３に記憶する。
【００４０】
商品重量取得部４０４は、商品テーブル５０１を参照して、識別情報読取部４０２により読み取られた商品の識別情報に対応する商品重量を取得する。具体的には、商品重量取得部４０４は、識別情報読取部４０２が読み取った読取データ保存領域５０２に記憶されているタグＩＤ情報のうち、バーコード互換部分のバーコードに対応する商品重量を取得する。
【００４１】
図４はＲＡＭ１０２に記憶されている商品テーブル５０１の一例を示す図である。図４に示すように、商品テーブル５０１には、バーコードと、このバーコードに対応する商品名、商品重量、商品金額の情報がバーコード毎に格納されている。
【００４２】
図５は、ＲＡＭ１０２に記憶されている読取データ保存領域の一例を示す図である。読取データ保存領域には、ＲＦＩＤスキャナ１７により読み取られたＲＦタグのタグＩＤ情報が一時的に記憶される。タグＩＤ情報には、長さと、属性と、バーコードの情報と、シリアル番号の情報とが含まれている。
【００４３】
タグＩＤ情報には、ＧＳ１（Global Standard One）で標準化された電子タグに書き込む為の識別コードであるＥＰＣ(Electronic Product Code）のうち、商品識別コードであるGTIN（Global Trade Item Number）にシリアル番号を付加したSGTIN（Serialized GTIN）と呼ばれるフォーマットにより構成されている。
【００４４】
例えば、図４の商品テーブル５０１、図５の読取データ保存領域５０２を参照して説明すると、商品重量取得部４０４は、図５のタグＩＤ情報「3000112233445566778899111111」をバーコードと、シリアル番号を含む情報に分解する。分解したバーコードの情報が「4900000000010」とすると、商品重量取得部４０４は、図４の商品テーブルを参照して、バーコード「4900000000010」に対応する商品重量「100g」を取得する。商品重量取得部４０４は、取得した商品重量の合計を論理重量保存領域５０４に記憶する。
【００４５】
商品重量比較部４０５は、商品重量取得部４０４により取得された商品重量の合計と、商品計量部４０３により計量された商品重量の合計と、を比較する。具体的には、商品重量比較部４０５は、商品重量取得部４０４により取得され論理重量保存領域５０４に記憶された論理上の商品重量の合計と、商品計量部４０３により計量され実重量保存領域５０３に記憶された実際の商品重量の合計と、を比較する。
【００４６】
例えば、商品重量取得部４０４により取得された論理上の商品重量の合計が「580g」であり、商品計量部４０３により計量された実際上の商品重量の合計が「1660g」である場合には、商品重量比較部４０５は、商品計量部４０３により計量された実際上の商品重量の合計の方が重いと判断する。
【００４７】
これに対し、商品重量取得部４０４により取得された論理上の商品重量の合計が「1860g」であり、商品計量部４０３により計量された実際上の商品重量の合計が「1660g」である場合には、商品重量比較部４０５は、商品重量取得部４０４により取得された論理上の商品重量の合計の方が重いと判断する。商品重量比較部４０５は商品重量の比較結果の情報を出力制御部４０６へ通知する。
【００４８】
出力制御部４０６は、ＲＦＩＤスキャナ１７の読取出力を制御する。ＲＦＩＤスキャナ１７の読取出力は例えば複数段階に変更可能に設定される。そして変更された読取出力に基づき、ＲＦＩＤスキャナ１７のアンテナから出力する電波の出力を変更することにより、ＲＦＩＤスキャナ１７の読取出力を制御することができる。
【００４９】
具体的には、商品重量比較部４０５による、商品重量取得部４０４により取得された論理上の商品重量の合計と、商品計量部４０３により計量された実際上の商品重量の合計と、の比較結果に応じて、ＲＦＩＤスキャナ１７の読取出力を制御する。
【００５０】
例えば、商品重量比較部４０５により、商品重量取得部４０４により取得された論理上の商品重量の合計よりも、商品計量部４０３により計量された実際上の商品重量の合計の方が小さいと判断された場合には、セルフチェックアウト装置１０で会計する対象の商品のＲＦタグを全て読み取れなかった可能性が高い。この場合は、出力制御部４０６は、ＲＦＩＤスキャナ１７の図示せぬアンテナから出力する電波の出力を高めて、ＲＦＩＤスキャナ１７の読取出力を大きくする。これにより、読み取れなかったＲＦタグを全て読み取ることができ、商品に付されたＲＦタグの読み漏れを防ぐことができる。
【００５１】
また、例えば、商品重量比較部４０５により、商品重量取得部４０４により取得された論理上の商品重量の合計よりも、商品計量部４０３により計量された実際上の商品重量の合計の方が大きいと判断された場合には、セルフチェックアウト装置１０で会計する対象の商品以外のＲＦタグを読み取った可能性が高い。すなわち、セルフチェックアウト装置１０の近辺にある他の顧客の購入予定商品や、セルフチェックアウト装置１０の近辺の陳列棚にある商品のＲＦタグを読み取ったと推測される。この場合は、出力制御部４０６は、ＲＦＩＤスキャナ１７の図示せぬアンテナから出力する電波の出力を弱めて、ＲＦＩＤスキャナ１７の読取出力を小さくする。これにより、商品に付されたＲＦタグの読み過ぎを防ぐことができる。
【００５２】
ＲＦＩＤスキャナ１７の読取出力が制御された結果、商品重量比較部４０５による、商品重量取得部４０４により取得された論理上の商品重量の合計と、商品計量部４０３により計量された実際上の商品重量の合計と、の比較結果が略同一となった場合には、ＲＦＩＤスキャナ１７の読取出力は適正であると考えられる。したがって、この場合は、セルフチェックアウト装置１０の会計に必要なＲＦタグのみを漏れなく読み取ることができる。この場合、主制御部４０１は、商品テーブル５０１を参照し、読取データ保存領域５０２に記憶されているタグＩＤ情報のうち、バーコード互換部分のバーコードに対応する商品名およびバーコードに対応する商品金額を精算金額として精算対象データテーブル５０５に記憶する。
【００５３】
図６は、ＲＡＭ１０２に記憶されている精算対象データテーブル５０５の一例を示す図である。図６に示すように、精算対象データテーブル５０５には、読取データ保存領域５０２に記憶されているタグＩＤ情報に含まれるバーコード互換部分のバーコードと、このバーコードに対応する商品名、商品金額の情報が記憶されている。
【００５４】
次に、本実施形態の自動精算処理の流れについて説明する。図７Ａ、図７Ｂは、本実施形態の自動精算処理の例を示すフローチャートを示す図である。自動精算処理は、顧客のタッチ操作により取引開始のボタンが押され、主制御部４０１が自動精算処理の開始の指示を受け付けると、開始される。
【００５５】
はじめに、主制御部４０１は、ＲＦＩＤスキャナ１７によるＲＦタグの読み取りを促すメッセージをＬＣＤ１３に表示する制御を行い（ステップＳ１０１）、識別情報読取部４０２は、ＲＦＩＤスキャナ１７の設定を有効にする（ステップＳ１０２）。この場合、ＲＦＩＤスキャナ１７の初期値が設定されている場合には、識別情報読取部４０２は、初期値に基づきＲＦＩＤスキャナ１７の読取出力を設定する。また、すでに読取出力の設定情報がＲＡＭ１０２等に記憶されている場合には、記憶されている設定情報に基づき、ＲＦＩＤスキャナ１７の読取出力を設定する。
【００５６】
識別情報読取部４０２は、ＲＦタグの読み取りがあるまで待機し、ＲＦＩＤスキャナ１７によりＲＦタグが読み取られると（ステップＳ１０３）、ＲＦＩＤスキャナ１７が読み取ったバーコードデータを含むタグＩＤ情報を読取データ保存領域５０２に記憶する（ステップＳ１０４）。
【００５７】
識別情報読取部４０２は、ＲＦタグの読み取りが終了したか否かを判定する（ステップＳ１０６）。この処理では、例えば、最後のＲＦタグの読み取りが終了してから一定時間経過した場合や、顧客のタッチパネル１４に対するタッチ操作に基づきＲＦタグの読み取り終了指示の操作を受け付けた場合には、識別情報読取部４０２は、ＲＦタグの読み取りが終了したと判断する。
【００５８】
商品計量部４０３は、ＲＦタグの読み取り終了後に計量装置２０により商品重量を計量し（ステップＳ１０７）、計量した商品重量を実重量保存領域５０３に記憶する（ステップＳ１０８）。なお、上述の実施形態においては、商品計量部４０３は、ＲＦタグの読み取り終了後に計量装置２０により商品重量を計量しているが、ＲＦタグの読み取り終了前に計量装置２０により商品重量を計量してもよい。
【００５９】
商品重量取得部４０４は、商品テーブル５０１を参照し、読取データ保存領域５０２に記憶されているタグＩＤ情報のうち、バーコード互換部分のバーコードに対応する商品重量を取得する(ステップＳ１０９)。
【００６０】
商品重量比較部４０５は、商品重量取得部４０４により取得された商品重量の合計と、商品計量部４０３により計量された商品重量の合計と、を比較する（ステップＳ１１０）。この処理では、商品重量比較部４０５は、商品重量取得部４０４により取得され論理重量保存領域５０４に記憶された論理上の商品重量の合計と、商品計量部４０３により計量され実重量保存領域５０３に記憶された実際上の商品重量の合計と、を比較する。
【００６１】
出力制御部４０６は、ステップＳ１１０による論理上の商品重量の合計と、実際上の商品重量の合計と、の比較の結果、商品重量取得部４０４により取得された商品重量の合計と、商品計量部４０３により計量された商品重量の合計と、が略同一か否かを判定する（ステップＳ１１１）。略同一とは、完全同一のみならず、所定の閾値の範囲内の誤差も含まれる。例えば、１〜１０％程度の所定の閾値を設定してもよい。
【００６２】
商品重量取得部４０４により取得された商品重量の合計と、商品計量部４０３により計量された商品重量の合計と、が略同一でない場合（ステップＳ１１１のＮＯ）には、出力制御部４０６は、商品重量取得部４０４により取得された論理上の商品重量の合計よりも、商品計量部４０３により計量された実際上の商品重量の合計の方が小さいか否か判断する（ステップＳ１１２）。
【００６３】
商品重量取得部４０４により取得された論理上の商品重量の合計よりも、商品計量部４０３により計量された実際上の商品重量の合計の方が小さいと判断された場合（ステップＳ１１２のＹＥＳ）には、セルフチェックアウト装置１０で会計する対象の商品のＲＦタグを全て読み取れなかった可能性が高い。この場合、出力制御部４０６は、ＲＦＩＤスキャナ１７の読取出力を、例えば１ｄＢｍ大きくする（ステップＳ１１３）。これにより、読み取れなかったＲＦタグを読み取る可能性が向上する。この処理が終了すると、処理はステップＳ１０３に戻り、ＲＦタグの読み取りおよび商品重量の計量を再度行う。
【００６４】
商品重量取得部４０４により取得された論理上の商品重量の合計よりも、商品計量部４０３により計量された実際上の商品重量の合計の方が小さくない、すなわち、商品重量取得部４０４により取得された論理上の商品重量の合計よりも、商品計量部４０３により計量された実際上の商品重量の合計の方が大きいと判断された場合（ステップＳ１１２のＮＯ）には、セルフチェックアウト装置１０で会計する対象の商品以外のＲＦタグを読み取った可能性が高い。この場合、出力制御部４０６は、ＲＦＩＤスキャナ１７の読取出力を、例えば１ｄＢｍ小さくする（ステップＳ１１４）。これにより、商品に付されたＲＦタグの読み過ぎを防ぐ可能性が向上する。この処理が終了すると、処理はステップＳ１０３に戻り、ＲＦタグの読み取りおよび商品重量の計量を再度行う。
【００６５】
商品重量取得部４０４により取得された商品重量の合計と、商品計量部４０３により計量された商品重量の合計と、が略同一である場合（ステップＳ１１１のＹＥＳ）には、主制御部４０１は、商品テーブル５０１を参照し、読取データ保存領域５０２に記憶されているタグＩＤ情報のうち、バーコード互換部分のバーコードに対応する商品名およびバーコードに対応する商品金額を精算金額として精算対象データテーブル５０５に記憶する（ステップＳ１１５）。
【００６６】
主制御部４０１は、タッチパネル１４の精算ボタンにタッチ操作がされると、精算対象データテーブル５０５に記憶した精算金額により精算処理を行う（ステップＳ１１６）。この処理では、顧客の購入対象の全ての商品の商品金額が記憶された後、現金の投入またはクレジットカード等を挿入する。これにより精算処理が行われて、セルフチェックアウト装置１０から釣銭、使用したクレジットカードおよびレシートが排出される。顧客がこれらを受け取って取引が終了すると、自動精算処理は終了となる。なお、自動精算処理の終了時に、読取出力の設定情報をＲＡＭ１０２やＨＤＤ１０３等に記憶してもよい。
【００６７】
以上のように、本実施形態のセルフチェックアウト装置１０によれば、商品重量取得部４０４により取得された論理上の商品重量の合計よりも、商品計量部４０３により計量された実際上の商品重量の合計の方が小さいと判断された場合には、セルフチェックアウト装置１０で会計する対象の商品のＲＦタグを全て読み取れなかった可能性が高い。この場合は、出力制御部４０６は、ＲＦＩＤスキャナ１７のアンテナから出力する電波の出力を高めて、ＲＦＩＤスキャナ１７の読取出力を、例えば１ｄＢｍ大きくする。これにより、読み取れなかったＲＦタグを読み取る可能性が徐々に向上する。
【００６８】
一方で、商品重量比較部４０５により、商品重量取得部４０４により取得された論理上の商品重量の合計よりも、商品計量部４０３により計量された実際上の商品重量の合計の方が大きいと判断された場合には、セルフチェックアウト装置１０で会計する対象の商品以外のＲＦタグを読み取った可能性が高い。この場合は、出力制御部４０６は、ＲＦＩＤスキャナ１７の図示せぬアンテナから出力する電波の出力を弱めて、ＲＦＩＤスキャナ１７の読取出力を、例えば１ｄＢｍ小さくする。これにより、商品に付されたＲＦタグの読み過ぎを防ぐ可能性が徐々に向上する。これにより、商品に付されたＲＦタグの読み過ぎおよび読み漏れを防ぐことができる。
【００６９】
以上、本発明の実施の形態を説明したが、本発明は、上述した実施の形態に限定されることなく、本発明の要旨を逸脱しない範囲内で種々の改良・変更が可能である。
【００７０】
また、ＨＤＤ１０３やＲＡＭ１０２に格納されるプログラムや商品テーブル５０１、読取データ保存領域５０２、実重量保存領域５０３、論理重量保存領域５０４、精算対象データテーブル５０５等の各種データは、不図示のネットワークおよび通信インタフェース１０４を介して接続される外部サーバ２００に格納されるものであってもよい。その場合、後述する商品テーブル等は必要時に外部サーバ２００から取り出され、ＲＡＭ１０２に格納される。
【符号の説明】
【００７１】
１０        セルフチェックアウト装置
１１        筐体
１２        筐体
１３        ＬＣＤ
１４        タッチパネル
１５        カードＲ／Ｗ
１６        バーコードスキャナ
１６ａ      カメラスキャナ
１６ｂ      ハンディスキャナ
１７        ＲＦＩＤスキャナ
１８        レシートプリンタ
１９        金銭取扱装置収容部
１９ａ      紙幣投入口
１９ｂ      紙幣出金口
１９ｃ      硬貨投入口
１９ｄ      硬貨返却口
１９ｅ      硬貨出金口
２０        計量装置
２１        買物袋懸吊部
２２        入出金装置
１００      制御装置
１０１      制御部
１０２      ＲＡＭ
１０３      ＨＤＤ
１０４      通信インタフェース
１０５      グラフィック処理装置
１０６      入出力インタフェース
１０７      バス
２００      外部サーバ
４０１      主制御部
４０２      識別情報読取部
４０３      商品計量部
４０４      商品重量取得部
４０５      商品重量比較部
４０６      出力制御部
５０１      商品テーブル
５０２      読取データ保存領域
５０３      実重量保存領域
５０４      論理重量保存領域
５０５      精算対象データテーブル
【図１】
2019207599.tif 000003
【図２】
2019207599.tif 000004
【図３】
2019207599.tif 000005
【図４】
2019207599.tif 000006
【図５】
2019207599.tif 000007
【図６】
2019207599.tif 000008
【図７Ａ】
2019207599.tif 000009
【図７Ｂ】
2019207599.tif 000010